(57)【要約】【課題】プレーンなプレス加工により所望の程度まで薄型化すると、加工度をかなり上げなければならず、吸収体が硬くごわごわとしたものとなり、ショーツの動きに追従できなくなり、結果として、吸収性物品の装着感が悪くなる。【解決手段】透液性トップシート９と、不透液性バックシート３と、それらの間に介在する吸収体５とを有する吸収性物品１。吸収体５は吸水性繊維中に高吸水性樹脂が分散混入されてなるシート状体であって、経血や尿等の排出口に対応する排出口対応領域１５を除いた領域に波状加工部分１１を備える。波状加工部分１１は柔らかく、同時に排出口対応領域１５にはある程度の剛性がある。【選択図】図２
2006068551.tif 000002
【特許請求の範囲】
【請求項１】
透液性トップシートと、不透液性バックシートと、前記透液性トップシートと前記不透液性バックシートとの間に介在する吸収体とを有する吸収性物品において、
前記吸収体が吸水性繊維中に高吸水性樹脂が分散混入されてなるシート状体であって、経血や尿等の排出口に対応する排出口対応領域を除いた領域に波状加工部分を有することを特徴とする吸収性物品。
【請求項２】
請求項１に記載された吸収性物品において、ＫＥＳ大型ねじれ試験機によるねじれ抵抗エネルギー値が６．５〜２０ｇｆ・ｃｍ／ｃｍであることを特徴とする吸収性物品。
【請求項３】
請求項１または２に記載された吸収性物品において、ＫＥＳ圧縮試験機による圧縮エネルギー値が０．５〜２．０ｇｆ・ｃｍ／ｃｍ２であることを特徴とする吸収性物品。
【請求項４】
請求項１から３のいずれかに記載された吸収性物品において、吸収体の排出口対応領域の大きさは、吸収体の長手方向の寸法が５０〜９０ｍｍ、幅方向の寸法が２０〜４０ｍｍであることを特徴とする吸収性物品。
【請求項５】
請求項１から４のいずれかに記載した吸収性物品において、吸収体の排出口対応領域の厚さ寸法は０．７〜２．０ｍｍであり、波状加工部分の厚さ寸法が前記排出口対応領域の厚さ寸法の１．１〜２．０倍であることを特徴とする吸収性物品。
【請求項６】
請求項１から５のいずれかに記載した吸収性物品において、更に、吸収体が疎水性合成繊維を含むことを特徴とする吸収性物品。
【請求項７】
請求項１から６のいずれかに記載した吸収性物品において、吸収体の表面側と裏面側の少なくとも一方側に波状加工部分を保護する保護シートを備えたことを特徴とする吸収性物品。
【請求項８】
請求項７に記載した吸収性物品において、保護シートは吸収体と共に波状加工が施されていることを特徴とする吸収性物品。
【発明の詳細な説明】
【技術分野】
【０００１】
本発明は生理用ナプキン、パンティライナー、失禁パッド、紙おむつ等の吸収性物品に係り、特に吸収体として吸水性繊維中に高吸水性樹脂が分散混入されてなるシート状体を備えた吸収性物品に関するものである。
【背景技術】
【０００２】
近年、生理用ナプキン等の吸収性物品においては吸収体として吸水性繊維中に高吸水性樹脂が分散混入されてなるシート状体が用いられている。
高吸水性樹脂は、水と接触すると吸水・膨潤してゲル状となり、一旦吸水したならば多少の圧力を加えても離水しないなどの特性をもっている。しかも、高吸水性樹脂は自己体積の数倍にも及ぶ驚異的な吸水力を有している。高吸水性樹脂はある程度膨潤した状態でないと吸水力を発揮できず、しかも吸水速度が遅い。このため、生理用ナプキン等に使用する場合は、高吸水性樹脂を粒粉状、破砕紛状等の形態で粉砕パルプ、レーヨン等の吸水性繊維中に分散混入する形態をとっている。
【０００３】
ところで、吸収性物品は取扱いの便宜や装着感等を考慮して薄型化が求められており、構成体の１つである吸収体も当然のことながら薄型化が求められている。しかしながら、この種の吸収体では、吸収性を考慮すると、高吸水性樹脂を一定量以上は混入しなければならない。従って、吸収体を所望の程度まで、例えば厚さ寸法を２．０ｍｍ程度まで薄型化すると、高吸水性樹脂の含有比率が相対的にかなり多くなり、高吸水性樹脂が吸水して膨潤したときに隣り合う高吸水性樹脂同士が結合して、所謂「ゲルブロッキング」を生じ、結局のところ所望の吸水力を発現できなくなってしまう。また、高吸水性樹脂の含有比率を高くすることにより相対的に繊維の含有比率を低めると、吸収体がよれ易くなったり、割れ易くなったりする問題も発生する。
【０００４】
従って、高吸水樹脂の含有比率を極端に上げずに薄型化を図るべく、現在は、吸収体をプレーンな圧縮（プレス）加工により所望の程度まで機械的に薄型化することが提案されている。
【発明の開示】
【発明が解決しようとする課題】
【０００５】
しかしながら、プレーンなプレス加工により所望の程度まで機械的に薄型化すると、今度は、加工度をかなり上げなければならず、吸収体が硬くごわごわとしたものとなり、ショーツの動きに追従できなくなり、結果として、吸収性物品の装着感が悪くなる。また、吸収体に大きなシワができ易くなる。シワができると漏れの原因になる。
【０００６】
そこで、特願２００１−２２７００７号において、吸収体の全体に波状加工を施すことで柔らかさを付与することが提案されたが、吸収体の全体に波状加工を施すと排出口対応領域で柔らかくなり過ぎてヨレが生じ易くなる。ヨレができると排出口対応領域に空間ができてしまい漏れの原因になる。
【０００７】
本発明は上記従来の問題点に着目してなされたものであり、吸水性繊維中に高吸水性樹脂が分散混入されてなるシート状体の吸収体を十分な厚み寸法まで薄型化しつつ、柔らかさ、クッション性があり、良好な装着感を確保でき且つシワができにくく、更に排出口対応領域は比較的高い剛性を有してヨレができにくい吸収性物品を提供することを目的とする。
【課題を解決するための手段】
【０００８】
この目的を達成するために、請求項１の発明は、透液性トップシートと、不透液性バックシートと、前記透液性トップシートと前記不透液性バックシートとの間に介在する吸収体とを有する吸収性物品において、
前記吸収体が吸水性繊維中に高吸水性樹脂が分散混入されてなるシート状体であって、経血や尿等の排出口に対応する排出口対応領域を除いた領域に波状加工部分を有することを特徴とする吸収性物品である。
【０００９】
請求項２の発明は、請求項１に記載された吸収性物品において、ＫＥＳ大型ねじれ試験機によるねじれ抵抗エネルギー値が６．５〜２０ｇｆ・ｃｍ／ｃｍであることを特徴とする吸収性物品である。
【００１０】
請求項３の発明は、請求項１または２に記載された吸収性物品において、ＫＥＳ圧縮試験機による圧縮エネルギー値が０．５〜２．０ｇｆ・ｃｍ／ｃｍ２であることを特徴とする吸収性物品である。
【００１１】
請求項４の発明は、請求項１から３のいずれかに記載された吸収性物品において、吸収体の排出口対応領域の大きさは、吸収体の長手方向の寸法が５０〜９０ｍｍ、幅方向の寸法が２０〜４０ｍｍであることを特徴とする吸収性物品である。
【００１２】
請求項５の発明は、請求項１〜４のいずれかに記載した吸収性物品において、吸収体の排出口対応領域の厚さ寸法は０．７〜２．０ｍｍであり、波状加工部分の厚さ寸法が前記排出口対応領域の厚さ寸法の１．１〜２．０倍であることを特徴とする吸収性物品である。
【００１３】
請求項６の発明は、請求項１〜５のいずれかに記載した吸収性物品において、更に、吸収体が疎水性合成繊維を含むことを特徴とする吸収性物品である。
【００１４】
請求項７の発明は、請求項１〜６のいずれかに記載した吸収性物品において、吸収体の表面側と裏面側の少なくとも一方側に波状加工部分を保護する保護シートを備えたことを特徴とする吸収性物品である。
【００１５】
請求項８の発明は、請求項７に記載した吸収性物品において、保護シートは吸収体と共に波状加工が施されていることを特徴とする吸収性物品である。
【発明の効果】
【００１６】
以上のように、本発明によれば、吸水性繊維中に高吸水性樹脂が分散混入されてなるシート状体の吸収体を十分な厚み寸法まで薄型化しつつ、柔らかさ、クッション性があり、良好な装着感を確保でき且つシワができにくく、更に排出口対応領域は比較的高い剛性を有してヨレができにくい吸収性物品を提供できる。
【発明を実施するための最良の形態】
【００１７】
以下に、本発明の第１の実施の形態に係る生理用ナプキン１の実施の形態を図面に従って説明する。
【００１８】
図１に示すように、生理用ナプキン１は、不透液性のバックシート３と、このバックシート３の一方の面に保持された吸収体５と、この吸収体５の上に重ねられた保護シート７と、吸収体５と保護シート７を挟んでバックシート３に重ねられた透液性のトップシート９とから成る多層構造になっており、ホットメルト、ヒートシール等で接着されている。
【００１９】
バックシート３はシート状体であり、装着したときに股間部に対応する中央両側部にはクビレ部を有する。バックシート３の裏面にショーツに生理用ナプキン１を固定するための図示しない粘着剤が付与されている。このバックシート３の材料としては、吸収性物品用として公知のもの、例えば、ポリエチレン、ポリプロピン等の遮水材、遮水材に不織布とを積層してなるラミネート不織布、遮水材と不織布との間に防水プラスチックフィルムを介装して積層してなるラミネート不織布等が挙げられる。好ましくは、不透液性を有し且つ通気性が良いもの、例えばポリエチレンやポリプロピレン等のオレフィン系樹脂に無機充填剤を溶融混練したものを延伸処理した微多孔性シートである。
【００２０】
表面シート９もシート状体である。この表面シートの材料としては、吸収性物品用として公知のもの、例えば無孔または有孔の不織布や多孔性プラスチックシート等が挙げられる。不織布を構成する繊維としては、ポリエチレン、ポリプロピレンなどのオレフィン系、ポリエステル系、ポリアミド系等の合成繊維、レーヨン、キュポラ等の再生繊維、綿等の天然繊維がある。また、融点の高い繊維を芯とし融点の低い繊維を鞘とした芯鞘型繊維、サイド−バイ−サイド型繊維、分割型繊維等の複合繊維を用いることも考えられる。
【００２１】
バックシート３でも表面シート９でも、不織布は、スパンレース法、スパンボンド法、サーマルボンド法、メルトブローン法、ニードルパンチ法等適宜な方法で形成されたものを用いることができるが、スパンレース法によるものは柔軟性及びドレープ性に富む点で優れ、サーマルボンド法によるものは嵩高で柔軟性に富む点で優れている。
【００２２】
吸収体５は、表面シート９の主部よりほぼ一回り小さいシート状体である。この吸収体５は、吸水性繊維に高吸水性樹脂を分散混入してなるものである。
吸水性繊維としては、パルプ、即ちセルロース繊維の他、レーヨン、アセテート等の人工セルロース繊維からなるものが好適材として挙げられる。なお、木材パルプを使用する場合には、広葉樹パルプよりは繊維長が長い針葉樹パルプの方が機能及び価格面で好適である。
【００２３】
更に、ポリエチレン、ポリプロピレン等のオレフィン系、ポリエステル系、ポリアミド系等の疎水性合成繊維を併用してもよい。疎水性合成繊維（化学繊維）が吸水性繊維間に介在すると、剛性が上がり、腰が出る。従って、疎水性合成繊維を含む吸収体を使用すると、波状加工部分の弾性度が上がり、装着中に波の形態が壊れ難くなるという利点がある。
なお、疎水性合成繊維を併用する場合には、吸収体に対して５〜３０重量％の範囲で含有するのが好ましい。５重量％未満では期待された効果が発現されず、一方、３０重量％を超えると吸水性繊維及び高吸水性樹脂の含有比率が相対的に下がり、吸収性が低下してしまうからである。
【００２４】
高吸水性樹脂としては、ポリアクリル酸塩架橋物、自己架橋したポリアクリル酸塩、アクリル酸エステル−酢酸ビニル共重合体架橋物のケン化物、イソブチン・無水マレイン酸共重合体架橋物、ポリスルホン酸塩架橋物、ポリエチレンオキシド、ポリアクリルアミドなどの水膨潤性ポリマーを部分架橋したものなどが挙げられる。これらのうち、吸水量、吸水速度に優れるアクリル酸またはアクリル酸塩系のものが好適である。
【００２５】
高吸水性樹脂自体は公知のものであり、周知の方法により製造され、市販されている。製造段階において、架橋密度および架橋密度勾配を調整することにより吸水力と吸水速度を調整することが可能である。
【００２６】
高吸水性樹脂は、吸収体に対して１０〜６０重量％で含有するのが好ましい。１０重量％未満では期待された効果が発現されず、一方、６０重量％を超えると、吸水性繊維同士の絡み合いが少なくなり、吸収体の強度が低下し、破れや割れが発生し易くなるからである。
【００２７】
吸収体５は所謂不織布シートであり、不織布の公知な製造方法により製造できるが、好ましくは乾式法、より好ましくは公知のエアレイド法により成形する。エアレイド法による場合には、例えば、吸水性繊維と、更に併用する場合には疎水性合成繊維とを空気中に分散させて薄いウエブを形成し、この上に高吸水性樹脂を分散配置させる。この２工程を繰り返すことにより、高吸水性樹脂が分散混入したマットが形成される。そして、マットの上下面を、公知のバインダー、例えば天然ラテックス等で接着・シート化する。
【００２８】
その後、プレーンな圧縮加工をした後、波状加工を行う。
波状加工は、例えば、表面に周方向に連続した多数の凸条を有するロールと、前記凸条対応位置に凹条を有するロールとを対向配置し、その間に吸収体を通過させることによってもできる。好ましくは、波状加工エンボスの圧力を１０００ｋｇｆにして、波状加工エンボスの凹凸が１ｍｍかみ合っている状態にして吸収体を通過させる。
【００２９】
図２は吸収体５の上面図であり、図３は図２のＡ−Ａ断面図、図４は図２のＢ−Ｂ断面図である。
【００３０】
吸収体５は波状加工されており、波状加工部分１１を有する。波状加工を施すことで吸収体５の肌当接面が密から疎になり、柔らかさ、クッション効果が得られる。また、波状加工部分１１の波の頂部１３間は凹みとなるので堰き止め溝となって、経血等の拡散を防止すると共に、吸収体５の表面積が大きくなるので経血等と吸収体５との接触面積が増大し、その結果として経血等が吸収体５に速やかに吸収されるようになる。更には、波状加工部分１１はドライ感が向上している。
【００３１】
また、波の頂部１３は吸収体５の長手方向に沿ってほぼ平行に形成している。このように構成することで、装着時に最も違和感を持ちやすい足回り部分を最も柔らかく仕上げることができる。
波の頂部１３の間隔Ｗは１．０〜１０ｍｍが好ましい。１ｍｍ未満では波状加工が困難になるとともに、完成品の状態で波状形態を保持難くなり、一方、１０ｍｍ超では吸収体上に波が十分な密度で形成されず、発現する、軟らかさ、クッション効果が期待したほどではなくなるからである。
【００３２】
経血や尿等の排出口に対応する排出口対応領域１５には波状加工されていない。排出口対応領域１５とは、生理用ナプキン１の長手方向両側部にウイングを設けた場合にはウイングに対応する位置に対応し、生理用ナプキン１の長手方向両側部にクビレ部を設けた場合にはクビレ部に対応する位置に対応し、また、表面シート９にフィットエンボスを設けた場合にはその最狭部に対応する位置に対応する。このように構成することにより、装着時に、吸収体５の排出口対応領域１５にヨレをできにくくする。
【００３３】
吸収体５の排出口対応領域１５の大きさは、排出口に対応させて、通常の生理用ナプキン１を含む吸収性物品では、吸収体５の長手方向の寸法が５０〜９０ｍｍ、幅方向の寸法が２０〜４０ｍｍと設定するのが好ましい。排出口に対応させることによって吸収体全体では軟らかさ、クッション効果を向上させ、使用時の違和感を軽減し、装着感を向上させることができる。また、使用時のヨレに伴って発生する漏れを低減することができる。
この生理用ナプキン１では、排出口対応領域１５のパターンは、小判形（楕円形）である。
【００３４】
吸収体５の厚さ寸法は、薄型化の観点から、最も厚みのある排出口対応領域１５で０．７〜２ｍｍが好ましい。
一方、波状加工部分１１の厚さ寸法は、排出口対応領域１５の厚さ寸法の１．１〜２．０倍であることが好ましい。厚み倍率が１．１未満の場合には柔らかさ、クッション効果が期待した程発現されず、一方、２．０倍を超える場合には波状加工が困難になるとともに、完成品の状態で波状を保持しにくくなるからである。
【００３５】
生理用ナプキン１の装着感と言った官能的特性を評価するため、ＫＥＳ大型ねじれ試験機によるねじれ抵抗エネルギー値Ｂを１つの指標とする。
ＫＥＳ大型ねじれ試験機とは、カトーテック株式会社製の大型ねじれ試験機（ＫＥＳ−ＹＮ−１−Ｂ）を意味し、吸収性物品のサンプルの大きさを長さ１５０ｍｍ×幅５５ｍｍに設定し、試験条件を以下のものとする。
測定チャック部：上下チャックと下部チャックのエッジをサンプルのエッジに合わせてセットする。
【００３６】
チャック間隔：１１５ｍｍ、ＳＥＮＳ（記録感度）：５、ねじれ角度：７、ＣＯＮＴＲＯＬ：７、ＳＰＥＥＤ：１２、サンプル幅：６ｃｍ
そして、０〜±７０°のねじれ角度間で測定してグラフ（Ｘ軸：°（度）、Ｙ軸：ｇｆ・ｃｍ／ｃｍ（応力））を作成し、グラフから、ねじれ角度１０〜６５°におけるグラフの傾き、即ちねじれ抵抗エネルギー値Ｂを読取る。図２８（Ａ）は固い場合のグラフであり、図２８（Ｂ）は柔らかい場合のグラフである。
本発明の生理用ナプキン１は、ねじれ抵抗エネルギー値Ｂは、６．５〜２０ｇｆ・ｃｍ／ｃｍの範囲内であることが好ましい。６．５ｇｆ・ｃｍ／ｃｍ未満では柔らかくなり過ぎてヨレが発生し易くなり、２０ｇｆ・ｃｍ／ｃｍを超えると硬くなり過ぎて装着時に違和感があり、また、ショーツの動きに追従することができず、ズレ易いからである。
【００３７】
生理用ナプキン１の官能的特性を評価するため、ＫＥＳ圧縮試験機による圧縮エネルギー値ＷＣを別の指標とする。
ＫＥＳ圧縮試験機とは、カトーテック株式会社製のハンディー圧縮試験機（ＫＥＳ−Ｇ５）を意味し、完成品である吸収性物品の波状加工部分に対して試験する。試験条件は以下のものとする。
【００３８】
ＳＥＮＳ（記録感度）：２、力計の種類：１ｋｇ、ＳＰＥＥＤ  ＲＡＮＧＥ：０．０１（ｃｍ／ｓｅｃ）、ＤＥＦ感度：５、加圧面積：２ｃｍ２、取込み間隔：０．１（標準）、ＳＴＲＯＫＥ  ＳＥＴ：５．０、上限荷重：５０ｇｆ／ｃｍ２
そして、上記の試験条件下で圧縮し、圧力と変形量との相関図から圧縮エネルギー値ＷＣを得る。図２９は、圧力と変形量との相関図（Ｘ軸：ｍｍ（変形量）、Ｙ軸：ｇｆ／ｃｍ２）であり、圧縮エネルギー値ＷＣは、（ａ＋ｂ）の面積値である。圧縮エネルギー値ＷＣが大きいほど、即ち面積値が大きいほど、圧縮され易い、即ち柔らかく、圧縮エネルギー値ＷＣが小さいほど硬い。
本発明の生理用ナプキン１は、圧縮エネルギー値ＷＣが、０．５〜２．０ｇｆ・ｃｍ／ｃｍ２の範囲内であることが好ましい。
【００３９】
圧縮エネルギー値ＷＣは０．５ｇｆ・ｃｍ／ｃｍ２未満では硬くなり過ぎて装着時に違和感があり、また、ショーツの動きに追従することができず、ズレ易くなり、一方、２．０ｇｆ・ｃｍ／ｃｍ２を超えると、軟らかくなり過ぎてヨレが発生し易くなるからである。
【００４０】
符号７は保護シートを示す。この保護シート７は吸収体５とほぼ同じ大きさである。保護シート７で吸収体５の表面を保護することで、波状加工部分１１の波状形態を保持することができる。
保護シート７の材料としては、吸収性物品用として表面シート等にも用いられている公知の不織布が挙げられる。
【００４１】
生理用ナプキン１は、バックシートの３の上に下から順に吸収体５、保護シート７、表面シート９が積層され、ヒートシールによりバックシート３と表面シート９が接着されることにより一体化される。
【００４２】
本発明の第２の実施の形態に係る生理用ナプキンの吸収体及び保護シートを一体化したもの１７を、図５〜７に従って説明する。
吸収体５及び保護シート１９の材料は第１の実施の形態の吸収体及び保護シートの材料と同じである。また、また、吸収体５の波状加工部分１１の波状パターンも第１の実施の形態の吸収体５と同じである。
但し、この実施の形態では、吸収体５と共に保護シート１９も波状加工されている。吸収体５の表面に保護シート１９を配置した状態で一体的に波状加工をすることでこのような形態のものが形成される。
【００４３】
保護シート１９が吸収体５の波状加工部分１１と一体的に配置されることで、波状パターンがより安定的に保持される。
【００４４】
本発明の第３の実施の形態に係る生理用ナプキンの吸収体２１を、図８〜１０に従って説明する。
【００４５】
吸収体２１の材料は第１の実施の形態の吸収体５の材料と同じである。但し、この実施の形態では、吸収体２１の波状加工部分２３の波状パターンは、排出口対応領域２７を挟む前後領域においては間欠波がその頂部２６が長手方向にほぼ平行に延び、しかも途切れ部分は隣接する頂部２６間で交互になるよう配置されている。一方、上記前後領域を除いた領域においては連続波がその頂部２５が長手方向にほぼ平行に延びるように配置されている。間欠波の存在する部分の方が連続波の存在する部分より、波が疎に配列されているので柔らかい。
このように構成することで、排出口対応領域２７を挟む前後領域においては股部の前後部分の体形に合わせて適当な柔らかさを付与することができる。
【００４６】
更に、図１１以降に、吸収体２９の波状加工部分３１の波状パターンや、排出口対応領域３３のパターンを種々示す。なお、符号３５は波の頂部を示す。
図示されたように、波状加工部分３１の波状パターンとしては、幅方向に平行なもの、斜め状のもの、格子状のもの、斜め格子状のもの、螺旋状のもの等がある。
【００４７】
また、図示されたように、排出口対応領域３３のパターンは、角形、十字形、円形、楕円形等である。なお、排出口対応領域３３のパターンは、ひし形のものが排出口の形状に最も良く対応しているため、排出口対応領域３３の面積を小さくでき、装着感を確実に良好に保持できる点で有利である。
【００４８】
以上、本発明の実施の形態を説明したが、本発明の具体的構成がこの実施の形態に限定されるものでは無く、本発明の要旨から外れない範囲での設計変更等があっても本発明に含まれる。
【００４９】
例えば、保護シートは吸収体の両面側に配置してもよい。また、保護シートは波状加工しなくてもよい。
【図面の簡単な説明】
【００５０】
【図１】本発明の第１の実施の形態に係る生理用ナプキンの全体斜視図である。
【図２】図１に示す生理用ナプキンの吸収体の上面図である。
【図３】図２に示す吸収体のＡ−Ａ断面図である。
【図４】第２図に示す吸収体のＢ−Ｂ断面図である。
【図５】本発明の第２の実施の形態に係る生理用ナプキンの吸収体及び保護シートの斜視図である。
【図６】図５に示す吸収体及び保護シートのＡ−Ａ断面図である。
【図７】第５に示す吸収体及び保護シートのＢ−Ｂ断面図である。
【図８】本発明の第３の実施の形態に係る生理用ナプキンの吸収体の上面図である。
【図９】図８に示す吸収体のＡ−Ａ断面図である。
【図１０】第９に示す吸収体のＢ−Ｂ断面図である。
【図１１】本発明の更に別の実施の形態に係る生理用ナプキンの吸収体の上面図である。
【図１２】本発明の更に別の実施の形態に係る生理用ナプキンの吸収体の上面図である。
【図１３】本発明の更に別の実施の形態に係る生理用ナプキンの吸収体の上面図である。
【図１４】本発明の更に別の実施の形態に係る生理用ナプキンの吸収体の上面図である。
【図１５】本発明の更に別の実施の形態に係る生理用ナプキンの吸収体の上面図である。
【図１６】本発明の更に別の実施の形態に係る生理用ナプキンの吸収体の上面図である。
【図１７】本発明の更に別の実施の形態に係る生理用ナプキンの吸収体の上面図である。
【図１８】本発明の更に別の実施の形態に係る生理用ナプキンの吸収体の上面図である。
【図１９】本発明の更に別の実施の形態に係る生理用ナプキンの吸収体の上面図である。
【図２０】本発明の更に別の実施の形態に係る生理用ナプキンの吸収体の上面図である。
【図２１】本発明の更に別の実施の形態に係る生理用ナプキンの吸収体の上面図である。
【図２２】本発明の更に別の実施の形態に係る生理用ナプキンの吸収体の上面図である。
【図２３】本発明の更に別の実施の形態に係る生理用ナプキンの吸収体の上面図である。
【図２４】本発明の更に別の実施の形態に係る生理用ナプキンの吸収体の上面図である。
【図２５】本発明の更に別の実施の形態に係る生理用ナプキンの吸収体の上面図である。
【図２６】本発明の更に別の実施の形態に係る生理用ナプキンの吸収体の上面図である。
【図２７】本発明の更に別の実施の形態に係る生理用ナプキンの吸収体の上面図である。
【図２８】ねじれ抵抗エネルギー値の算出方法を説明する図である。
【図２９】圧縮エネルギー値の算出方法を説明する図である。
【符号の説明】
【００５１】
１…生理用ナプキン、３…バックシート、５…吸収体、７…保護シート、９…トップシート、１１…波状加工部分、１３…波の頂部、１５…排出口対応領域、１７…吸収体及び保護シート、１９…波状加工された保護シート、２１…吸収体、２３…波状加工部分、２５…連続波の頂部、２６…間欠波の頂部、２７…排出口対応領域、２９…吸収体、３１…波状加工部分、３３…排出口対応領域、３５…波の頂部
【図１】
2006068551.tif 000003
【図２】
2006068551.tif 000004
【図３】
2006068551.tif 000005
【図４】
2006068551.tif 000006
【図５】
2006068551.tif 000007
【図６】
2006068551.tif 000008
【図７】
2006068551.tif 000009
【図８】
2006068551.tif 000010
【図９】
2006068551.tif 000011
【図１０】
2006068551.tif 000012
【図１１】
2006068551.tif 000013
【図１２】
2006068551.tif 000014
【図１３】
2006068551.tif 000015
【図１４】
2006068551.tif 000016
【図１５】
2006068551.tif 000017
【図１６】
2006068551.tif 000018
【図１７】
2006068551.tif 000019
【図１８】
2006068551.tif 000020
【図１９】
2006068551.tif 000021
【図２０】
2006068551.tif 000022
【図２１】
2006068551.tif 000023
【図２２】
2006068551.tif 000024
【図２３】
2006068551.tif 000025
【図２４】
2006068551.tif 000026
【図２５】
2006068551.tif 000027
【図２６】
2006068551.tif 000028
【図２７】
2006068551.tif 000029
【図２８】
2006068551.tif 000030
【図２９】
2006068551.tif 000031